(57)【特許請求の範囲】
【請求項１】
内容物が収容される容器内に配置されるシリンダと、
該シリンダ内に上下摺動可能に嵌合された環状のピストンと、
前記ピストン内に上方付勢状態で上下摺動可能に嵌合されたピストンガイドと、
前記ピストンガイドに立設されたステムと、
該ステムに装着されるとともに、該ステム内に連通する吐出口が形成された押下ヘッドと、を備え、
前記ピストンガイドには、前記シリンダ内において前記ピストンの下方に画成され内容物が収容される収容室内と、前記ステム内と、を連通可能な連通孔が形成され、
前記ピストンは、前記連通孔を通した前記収容室内と前記ステム内との連通、遮断を切り替える吐出器であって、
前記ピストンガイドには、下方に向けて突出する台状部が設けられ、
該台状部の下面には、該台状部の外周面に非開口とされるとともに、気泡を保持する保持凹溝が設けられていることを特徴とする吐出器。
【発明の詳細な説明】
【技術分野】
【０００１】
本発明は、吐出器に関する。
【背景技術】
【０００２】
従来から、例えば下記特許文献１に示されるような吐出器が知られている。吐出器は、内容物が収容される容器内に配置されるシリンダと、該シリンダ内に上下摺動可能に嵌合された環状のピストンと、ピストン内に上方付勢状態で上下摺動可能に嵌合されたピストンガイドと、ピストンガイドに立設されたステムと、該ステムに装着されるとともに、該ステム内に連通する吐出口が形成された押下ヘッドと、を備えている。ピストンガイドには、シリンダ内においてピストンの下方に画成され内容物が収容される収容室内と、ステム内と、を連通可能な連通孔が形成されている。ピストンは、連通孔を通した収容室内とステム内との連通、遮断を切り替える。
【先行技術文献】
【特許文献】
【０００３】
【特許文献１】特開２０１１−２１３３６２号公報
【発明の概要】
【発明が解決しようとする課題】
【０００４】
しかしながら、前記従来の吐出器では、押下ヘッドを押し下げてピストンガイドをピストン内で下方に摺動させる過程において、内容物で満たされた収容室内と、ステム内および前記容器内と、の各連通が遮断されたときに、押下ヘッドが押し下げ難くなったり、押し下げられなくなったりすることがあった。
【０００５】
本発明は、前述した事情に鑑みてなされたものであって、その目的は、押下ヘッドを円滑に押し下げることができる吐出器を提供することである。
【課題を解決するための手段】
【０００６】
前記課題を解決するために、本発明は以下の手段を提案している。
本発明に係る吐出器は、内容物が収容される容器内に配置されるシリンダと、該シリンダ内に上下摺動可能に嵌合された環状のピストンと、前記ピストン内に上方付勢状態で上下摺動可能に嵌合されたピストンガイドと、前記ピストンガイドに立設されたステムと、該ステムに装着されるとともに、該ステム内に連通する吐出口が形成された押下ヘッドと、を備え、前記ピストンガイドには、前記シリンダ内において前記ピストンの下方に画成され内容物が収容される収容室内と、前記ステム内と、を連通可能な連通孔が形成され、前記ピストンは、前記連通孔を通した前記収容室内と前記ステム内との連通、遮断を切り替える吐出器であって、前記ピストンガイドには、下方に向けて突出する台状部が設けられ、該台状部の下面には、該台状部の外周面に非開口とされるとともに、気泡を保持する保持凹溝が設けられていることを特徴とする。
【０００７】
この発明によれば、台状部の下面に、前記保持凹溝が設けられているので、収容室内が内容物で満たされた状態で、前記保持凹溝に気泡を保持させておくことができる。これにより、押下ヘッドを押し下げてピストンガイドをピストン内で下方に摺動させる過程において、内容物で満たされた収容室内と、ステム内および前記容器内と、の各連通が遮断されたときに、収容室内で前記気泡を収縮させて気泡の容積を減少させ、ピストンガイドをピストン内で下方に摺動させ易くすることが可能になり、押下ヘッドを円滑に押し下げることができる。
また保持凹溝が、台状部の下面に径方向に非開口に形成されているので、例えば収容室の内周面に凹凸部を形成することにより気泡を保持する場合などに比べて、保持凹溝内に保持された気泡を径方向に抜け出させ難くすることが可能になり、保持凹溝内に気泡を確実に保持させることができる。
【発明の効果】
【０００８】
本発明に係る吐出器によれば、押下ヘッドを円滑に押し下げることができる。
【図面の簡単な説明】
【０００９】
【図１】本発明の一実施形態に係る吐出器の縦断面図である。
【図２】図１に示す吐出器を構成するピストンガイドの要部の縦断面図である。
【図３】図１に示す吐出器を構成するピストンガイドの要部の下面図である。
【発明を実施するための形態】
【００１０】
以下、図面を参照し、本発明の一実施形態に係る吐出器を説明する。
図１に示すように、吐出器１０は、例えば非圧縮性を具備する液体などの内容物を収容した図示しない容器の口部に装着される。吐出器１０は、内容物を液体の状態で吐出するいわゆる液体吐出ポンプである。
吐出器１０は、前記容器内に配置されるシリンダ１１と、該シリンダ１１内に上下摺動可能に嵌合された環状のピストン１２と、ピストン１２内に上方付勢状態で上下摺動可能に嵌合されたピストンガイド１５と、ピストンガイド１５に立設されたステム１７と、該ステム１７に装着されるとともに、該ステム１７内に連通する吐出口１８が形成された押下ヘッド１９と、を備えている。
【００１１】
ここで本実施形態では、押下ヘッド１９は筒状に形成され、シリンダ１１、ステム１７、ピストン１２および押下ヘッド１９は共通軸と同軸に配設されている。以下、この共通軸をポンプ軸Ｏといい、このポンプ軸Ｏに沿う方向を上下方向といい、上下方向に沿って、押下ヘッド１９側を上側、シリンダ１１側を下側といい、ポンプ軸Ｏに直交する方向を径方向といい、ポンプ軸Ｏ回りに周回する方向を周方向という。
吐出器１０は、ポンプ軸Ｏと同軸に配設された有頂筒状の装着キャップ２０を更に備え、装着キャップ２０が前記容器の口部に螺着されることにより容器に固定される。
【００１２】
シリンダ１１の上部には、その全周にわたって径方向の外側に向けてフランジ部２１が突設されるとともに、フランジ部２１に下側から近接する環状のパッキン２２が外嵌されている。フランジ部２１およびパッキン２２は、吐出器１０が装着キャップ２０により前記容器に固定された状態で、装着キャップ２０の天壁部と容器の口部の上端開口縁とにより上下方向に挟み込まれる。シリンダ１１においてフランジ部２１よりも上方に位置する上端部は、装着キャップ２０の天壁部を貫いて上方に突出している。シリンダ１１において装着キャップ２０内に位置しかつパッキン２２よりも下方に位置する部分には、シリンダ１１の内部と外部とを連通する空気孔１１ａが形成されている。
【００１３】
シリンダ１１の下部は、下方に向かうに従い漸次縮径された多段筒状に形成されている。シリンダ１１の下端開口部内には、吸上げパイプ２４が嵌合されて下方に向けて延設されている。シリンダ１１の下端部には、下方に向かうに従い漸次縮径された筒状の弁座２５が突設され、弁座２５上に球体弁２６が離間自在に着座されている。球体弁２６は、シリンダ１１内においてピストン１２の下方に画成され内容物が収容される収容室２７内と、前記容器内と、の吸上げパイプ２４内を通した連通、遮断を切り替える弁部材である。シリンダ１１の下部において、弁座２５の上方に位置する部分には、周方向に沿って延在し、後述するコイルスプリング３８の下端が支持される環状の受け面１１ｂが径方向の内方に向けて突出している。
【００１４】
ここでシリンダ１１の上部には、押下ヘッド１９が螺着されて該押下ヘッド１９を押し込み端位置に保持する保持部材２８が設けられている。保持部材２８は筒状に形成され、シリンダ１１の上部内に嵌合された内筒２８ａと、内筒２８ａを径方向の外側から囲繞し、シリンダ１１の上端部に外嵌された外筒２８ｂと、を備え、内筒２８ａの上端部に押下ヘッド１９が螺着される雌ねじ部が形成されている。
【００１５】
ピストン１２は、基筒部２９と、ポンプ軸Ｏに沿う縦断面視で径方向の外側に向けて開口する弧状をなす摺動筒部３０と、を備え、摺動筒部３０の内周面における上下方向の中央部と、基筒部２９の外周面における上下方向の中央部とが接続されている。なお、ピストン１２は、シリンダ１１内において前記空気孔１１ａよりも下方に位置する部分を上下摺動するように配設されている。
【００１６】
ピストンガイド１５は、シリンダ１１内に上下摺動可能に嵌合された本体部１３と、該本体部１３に立設されピストン１２内に上下摺動可能に嵌合された立ち上り部１４と、を備えている。
本体部１３は、ポンプ軸Ｏと同軸に配置された有頂筒状の筒状部３１と、筒状部３１から径方向の外側に向けて周方向に間隔をあけて複数突設された支持突起３２と、を備えている。筒状部３１の内周面には、周方向に間隔をあけて複数の縦リブ３４が形成されている。縦リブ３４は、上下方向に沿って延在し、縦リブ３４の上端は、筒状部３１の天壁部に連結され、縦リブ３４の下端は、筒状部３１の下端よりも上側に位置している。
立ち上り部１４は、ポンプ軸Ｏと同軸に配置された筒状に形成されている。立ち上り部１４内は、ステム１７内に連通している。
【００１７】
ここでピストンガイド１５には、前記収容室２７内とステム１７内とを連通可能な連通孔１６が形成されている。連通孔１６は、立ち上り部１４の下端部に径方向に貫設されており、立ち上り部１４内を通してステム１７内に連通する。
またピストンガイド１５には、ピストン１２が上方に離間可能に着座する着座部３５が設けられている。着座部３５は、筒状部３１における天壁部と周壁部との接続部分に全周にわたって延在する面取り状に形成されている。この着座部３５に、ピストン１２の基筒部２９の下端部が当接、離反することで、ピストンガイド１５の連通孔１６を通してステム１７内と収容室２７内とが遮断、連通されるようになっている。
このようにピストン１２は、連通孔１６を通した収容室２７内とステム１７内との連通、遮断を切り替える。ピストン１２は、ピストンガイド１５の着座部３５に着座することで、連通孔１６を通した収容室２７内とステム１７内との連通を遮断している。
【００１８】
なおピストンガイド１５は、収容室２７内に配置されたコイルスプリング３８により上方付勢されている。コイルスプリング３８の上端部は、ピストンガイド１５の前記筒状部３１内に配置され、前記縦リブ３４により径方向の外側から支持される。コイルスプリング３８の下端部は、シリンダ１１の内周面において受け面１１ｂに上方から連なる部分に径方向の外側から支持されている。コイルスプリング３８は、ピストンガイド１５の筒状部３１の天壁部と、シリンダ１１の受け面１１ｂと、により上下方向に挟み込まれ、ピストンガイド１５を下側から上方付勢状態で押し込み可能に支持している。
【００１９】
ステム１７は、保持部材２８の内筒２８ａ内に上下動自在に挿入されている。ステム１７の下端縁は、ピストン１２の基筒部２９の上端縁に上下方向の隙間をあけて上方から対向している。ステム１７は、下降するときに、下端縁がピストン１２の基筒部２９を下方に押し込んで、ピストン１２を連係して下降させる。
【００２０】
押下ヘッド１９は、有頂筒状に形成され、その天壁部に下方に向けて装着筒部３９が突設されるとともに、周壁部に径方向の外方に向けてノズル筒４０が突設されている。装着筒部３９は、ステム１７の上端部に外嵌されてステム１７内と連通されるとともに、保持部材２８の内筒２８ａの上端部に形成された雌ねじ部に螺着される雄ねじ部を備えている。ノズル筒４０は、装着筒部３９内と連通し、先端が前記吐出口１８となっている。
【００２１】
ここで、前記ピストンガイド１５には、下方に向けて突出する台状部３６が設けられている。台状部３６は、ポンプ軸Ｏと同軸に配置された円柱台状に形成されている。台状部３６は、ピストンガイド１５の本体部１３に配設され、前記縦リブ３４およびコイルスプリング３８の径方向の内側に位置している。台状部３６の径方向の中央部には、下方に向けて軸状部３７が突設されている。軸状部３７は、ポンプ軸Ｏと同軸に配置された円柱状に形成されている。軸状部３７の下端は、球体弁２６に上下方向に対向しており、押下ヘッド１９が押し込み端位置に保持されたときに、球体弁２６に突き当たって球体弁２６の上下方向の移動を規制する。
【００２２】
そして本実施形態では、前記台状部３６の下面には、径方向に非開口であるとともに、気泡Ｂを保持する保持凹溝５１が設けられている。図１および図２に示すように、保持凹溝５１は、上方に向けて非開口となっている。保持凹溝５１は、上下方向に沿って真っ直ぐ延在している。保持凹溝５１の上下方向の大きさは、保持凹溝５１の径方向の大きさよりも大きくなっている。保持凹溝５１の収容室２７に向けた開口面積は、ピストンガイド１５において周方向に隣り合う前記支持突起３２の間の隙間３３の流路断面積よりも小さくなっている。保持凹溝５１の内径は、上下方向の全長にわたって同等となっている。
【００２３】
図３に示すように、保持凹溝５１は、当該台状部３６を下方から見た下面視において円形状をなしている。保持凹溝５１は、台状部３６の下面において、軸状部３７を回避した位置に複数配置されている。複数の保持凹溝５１は、周方向に同等の間隔をあけて配置されている。これにより、台状部３６の下面には、保持凹溝５１が周方向に間欠的に複数配置されてなる環状の凹溝列５２が形成されている。凹溝列５２は、ポンプ軸Ｏと同軸をなすとともに、列径を互い異ならせて複数設けられている。
【００２４】
前記吐出器１０を使用するに際し、例えば押下ヘッド１９の装着筒部３９が保持部材２８に螺着されているときには、まず、保持部材２８に対して押下ヘッド１９をポンプ軸Ｏ回りに回転させ、押下ヘッド１９の保持部材２８への螺着を解除する。すると、コイルスプリング３８の上方付勢力によって、押下ヘッド１９が、ピストンガイド１５、ピストン１２およびステム１７とともに上昇する。この際、ピストン１２は、基筒部２９の下端が、ピストンガイド１５の本体部１３の着座部３５に突き上げられて上昇し、ピストンガイド１５の連通孔１６を通したシリンダ１１の収容室２７内とステム１７内との連通が遮断された状態で、ピストン１２がピストンガイド１５の上昇に連係して上昇することとなる。これにより、収容室２７内が負圧となり、球体弁２６が上昇して弁座２５から離反し、前記容器内の内容物が吸上げパイプ２４を通して収容室２７内に流入し、保持凹溝５１に気泡Ｂが保持されつつ収容室２７内に内容物が収容される。気泡Ｂは、例えば図２に示すように、保持凹溝５１の内面に付着し、図示の例では、該内面に、保持凹溝５１の底部を満たすように付着することで、保持凹溝５１内に保持される。
【００２５】
その後、押下ヘッド１９を押下すると、ステム１７およびピストンガイド１５も下降し、ピストンガイド１５の前記着座部３５が、ピストン１２の基筒部２９の下端から下方に離れ、シリンダ１１の収容室２７内とステム１７内とがピストンガイド１５の連通孔１６を通して連通される。そしてステム１７の下端縁が、ピストン１２の基筒部２９の上端縁に到達して、ステム１７によりピストン１２が下方に押し込まれ、シリンダ１１の収容室２７の内圧が上昇することで、収容室２７内の内容物が、ピストンガイド１５の連通孔１６、立ち上り部１４内およびステム１７内を通って吐出口１８から吐出される。
【００２６】
なお、押下ヘッド１９の押圧を解除すると、コイルスプリング３８の付勢力によってピストンガイド１５およびステム１７が押し上げられるとともにピストン１２が上昇し、シリンダ１１内の収容室２７の内圧が低下する。すると、球体弁２６が上昇し弁座２５から離反することで、前記容器内の内容物が吸上げパイプ２４を通して収容室２７内に流入する。その後、球体弁２６が弁座２５に着座して弁座２５が閉塞され、押下ヘッド１９が図１に示す上昇端位置に復帰する。
【００２７】
以上説明したように、本実施形態に係る吐出器１０によれば、台状部３６の下面に、前記保持凹溝５１が設けられているので、収容室２７内が内容物で満たされた状態で、前記保持凹溝５１に気泡Ｂを保持させておくことができる。これにより、押下ヘッド１９を押し下げてピストンガイド１５をシリンダ１１内で下方に摺動させる過程において、内容物で満たされた収容室２７内と、ステム１７内および前記容器内と、の各連通が遮断されたとき、本実施形態では、収容室２７内とステム１７内との連通がピストン１２により遮断され、かつ収容室２７内と前記容器内との連通が球体弁２６により遮断された押下ヘッド１９の押下開始時に、収容室２７内の気泡Ｂを収縮させて気泡Ｂの容積を減少させることができる。したがって、例えばピストン１２の基筒部２９の下端が、ピストンガイド１５の前記着座部３５に食いつくこと等を抑制し、ピストンガイド１５をシリンダ１１内で下方に摺動させ易くすることが可能になり、押下ヘッド１９を円滑に押し下げることができる。
また保持凹溝５１が、台状部３６の下面に径方向に非開口に形成されているので、例えば収容室２７の内周面に凹凸部を形成することにより気泡Ｂを保持する場合などに比べて、保持凹溝５１内に保持された気泡Ｂを径方向に抜け出させ難くすることが可能になり、保持凹溝５１内に気泡Ｂを確実に保持させることができる。
【００２８】
なお、本発明の技術的範囲は前記実施形態に限定されるものではなく、本発明の趣旨を逸脱しない範囲において種々の変更を加えることが可能である。
例えば、吸上げパイプ２４はなくてもよい。
前記実施形態では、吐出器１０は、内容物を液体の状態で吐出するものとしたが、これに限られず、泡状にして吐出するいわゆるフォーマポンプであってもよい。
【００２９】
また前記実施形態では、複数の保持凹溝５１が、環状の凹溝列５２を複数構成するように配置されているものとしたが、これに限られるものではない。例えば、複数の保持凹溝が、環状の凹溝列を１列、構成するように配置されていてもよい。また、複数の保持凹溝が、格子上に配置されていてもよい。
【００３０】
また前記実施形態では、保持凹溝５１は、前記下面視において円形状をなしているものとしたが、これに限られない。例えば、前記平面視において直線状をなしていてもよい。この場合、複数の保持凹溝が、前記平面視において互いに平行になるように間隔をあけて配置されていてもよい。
さらに前記実施形態では、前記縦リブ３４は、上下方向に沿って延在しているものとしたが、これに限られず、上下方向に傾斜して延在していてもよい。また前記縦リブ３４はなくてもよい。
【００３１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３２】
１０  吐出器
１１  シリンダ
１２  ピストン
１３  本体部
１４  立ち上り部
１５  ピストンガイド
１６  連通孔
１７  ステム
１８  吐出口
１９  押下ヘッド
２７  収容室
３６  台状部
５１  保持凹溝
【図１】
0005826067.tif 000002
【図２】
0005826067.tif 000003
【図３】
0005826067.tif 000004